(57)【要約】【課題】蓄積装置内蔵の受信端末に、圧縮した映像信号／音声信号とともに番組に多重化した蓄積制御情報を伝送し、受信端末において制御情報を解析させて端末の動作を制御し、蓄積装置内の番組を管理することができ、デジタル放送伝送規格を変更せずに、蓄積装置のない受信端末の動作に影響なく、各端末を制御し、端末毎の蓄積装置内の番組を管理可能な蓄積型デジタル放送サービスを実現する。【解決手段】デジタル放送装置に、映像音声再生手段、映像信号圧縮手段、音声信号圧縮手段、蓄積制御情報生成手段、番組情報生成手段、多重化手段、暗号化手段および信号変調手段を設ける。他方の各受信端末に、信号復調手段、第１の信号切替手段、第２の信号切替手段、暗号復号手段、多重分離手段、蓄積情報解析手段、蓄積再生手段および映像音声伸張手段を設ける。【選択図】    図３
2004247788.tif 000002
【特許請求の範囲】
【請求項１】
少なくとも１つ以上の映像音声再生手段と、
映像信号の圧縮処理を行う少なくとも１つ以上の映像信号圧縮手段と、
音声信号の圧縮処理を行う少なくとも１つ以上の音声信号圧縮手段と、
蓄積制御情報を生成する蓄積制御情報生成手段と、
番組情報を生成する番組情報生成手段と、
上記映像信号圧縮手段から出力される圧縮映像信号、上記音声信号圧縮手段から出力される圧縮音声信号、および上記番組情報生成手段から出力される番組情報を多重化する多重化手段と、
上記多重化手段により多重化された多重化信号の暗号化処理を行う暗号化手段と、
上記暗号化手段から出力された暗号化された信号の変調処理を行う信号変調手段とを有して構成され、
上記番組情報生成手段が、
上記蓄積制御情報生成手段から供給される蓄積制御情報を第１の番組情報に変換し、
上記第１の番組情報と、上記番組情報生成手段により生成される第２の番組情報とを多重化することにより、多重化された番組情報を出力するように構成されている
ことを特徴とする蓄積型デジタル放送装置。
【請求項２】
上記音声信号および上記映像信号が上記映像音声再生手段から出力されることを特徴とする請求項１記載の蓄積型デジタル放送装置。
【請求項３】
入力される信号を復調処理する信号復調手段と、
暗号化された信号を復号する暗号復号手段と、
多重化された映像音声圧縮信号と番組情報とを分離する多重分離手段と、
蓄積制御情報を解析する蓄積情報解析手段と、
上記蓄積情報解析手段から出力される制御情報に基づいて、上記多重分離手段から出力される映像音声圧縮信号の蓄積と蓄積されている映像音声圧縮信号の再生との少なくとも一方を実行可能な蓄積再生手段と、
上記蓄積情報解析手段から出力される制御情報に基づいて、上記多重分離手段から入力される映像音声圧縮信号と、蓄積再生手段から入力される映像音声圧縮信号とを切り替えて出力する第１の信号切替手段と、
上記第１の信号切替手段から出力された映像音声圧縮信号に対して伸張処理を実行して、映像信号および音声信号を出力する映像音声伸張手段とを有して構成され、
上記蓄積情報解析手段が、
上記多重分離手段から出力された番組情報から蓄積制御情報を抽出して解析し、上記蓄積再生手段と上記第１の信号切替手段との制御を行うように構成されている
ことを特徴とする蓄積型デジタル放送受信端末。
【請求項４】
上記暗号化された信号が上記信号復調手段から供給されることを特徴とする請求項３記載の蓄積型デジタル放送受信端末。
【請求項５】
少なくとも１つ以上の映像音声再生手段と、映像信号の圧縮処理を行う少なくとも１つ以上の映像信号圧縮手段と、音声信号を圧縮処理する少なくとも１つ以上の音声信号圧縮手段と、蓄積制御情報を生成する蓄積制御情報生成手段と、番組情報を生成する番組情報生成手段と、上記映像信号圧縮手段から出力される圧縮映像信号、上記音声信号圧縮手段から出力される圧縮音声信号、および上記番組情報生成手段から出力される番組情報を多重化する多重化手段と、多重化された信号を暗号化する暗号化手段と、暗号化された信号を変調処理する信号変調手段とを有して構成され、上記番組情報生成手段が、上記蓄積制御情報を第１の番組情報に変換するとともに、上記第１の番組情報と上記番組情報生成手段により生成される第２の番組情報とを多重化して番組情報を出力する蓄積型デジタル放送装置を用いて、
入力される信号を復調処理する信号復調手段と、暗号化信号を復号する暗号復号手段と、多重化されている映像音声圧縮信号および番組情報を分離する多重分離手段と、蓄積制御情報を解析する蓄積情報解析手段と、上記蓄積情報解析手段から出力される制御情報に基づいて、上記多重分離手段から出力される映像音声圧縮信号の蓄積と蓄積されている映像音声圧縮信号の再生との少なくとも一方を実行可能な蓄積再生手段と、上記蓄積情報解析手段から出力される制御情報に基づいて、上記多重分離手段から入力される映像音声圧縮信号と蓄積再生手段から入力される映像音声圧縮信号とを切り替えて出力する第１の信号切替手段と、上記映像音声圧縮信号の伸張処理を行うとともに、映像信号および音声信号を出力する映像音声伸張手段とを有して構成され、上記蓄積情報解析手段が、上記多重分離手段から出力される番組情報から蓄積制御情報を抽出して解析し、上記蓄積再生手段と信号切替手段とを制御するように構成された、少なくとも１つ以上の蓄積型デジタル放送受信端末を、それぞれ制御し、
それぞれの上記蓄積型デジタル放送受信端末ごとに、上記蓄積型デジタル放送受信端末内の蓄積再生手段に蓄積されている番組情報を管理する
ことを特徴とする蓄積型デジタル放送方式。
【請求項６】
上記蓄積型デジタル放送装置における上記音声信号および上記映像信号が上記映像音声再生手段により出力され、上記蓄積型デジタル放送装置における上記蓄積制御情報が蓄積制御情報生成手段から出力され、上記蓄積型デジタル放送受信端末における上記暗号化信号が、上記信号復調手段から出力されるように構成されていることを特徴とする請求項５記載の蓄積型デジタル放送方式。
【請求項７】
入力される信号を復調処理する信号復調手段と、
入力される暗号化信号を切り替える第２の信号切替手段と、
上記暗号化信号を復号する暗号復号手段と、
多重化された映像音声圧縮信号と番組情報とを分離する多重分離手段と、
蓄積制御情報を解析する蓄積情報解析手段と、
上記蓄積情報解析手段から出力される制御情報に基づいて、映像音声圧縮信号を蓄積し、または、蓄積されている映像音声圧縮信号を再生する蓄積再生手段と、
上記制御情報に基づいて、上記多重分離手段から供給される映像音声圧縮信号と、上記蓄積再生手段から供給される映像音声圧縮信号とを切り替える第１の信号切替手段と、
上記映像音声圧縮信号に対して伸張処理を行って映像信号および音声信号を出力する映像音声伸張手段とを有して構成され、
上記蓄積情報解析手段が、上記多重分離手段から出力される番組情報から蓄積制御情報を抽出して解析し、上記蓄積再生手段と上記第１の信号切替手段と上記第２の信号切替手段とを制御し、
上記第２の信号切替手段が、上記蓄積情報解析手段から出力される制御情報に基づいて、上記信号復調手段から供給される暗号化信号と、上記蓄積再生手段から供給される暗号化信号とを切り替えて出力し、
上記暗号復号手段が、上記蓄積情報解析手段から出力される制御情報に基づいて、入力信号をそのまま出力するか、または、復号処理するかを選択して信号処理を行うように構成されている
ことを特徴とする蓄積型デジタル放送受信端末。
【請求項８】
上記暗号化信号が、上記第２の信号切替手段から暗号復号手段に供給され、上記伸張処理が行われる上記映像音声圧縮信号が、上記第１の信号切替手段から上記映像音声伸張手段に供給されるように構成されている
ことを特徴とする請求項７記載の蓄積型デジタル放送受信端末。
【請求項９】
少なくとも１つ以上の映像音声再生手段と、映像信号の圧縮処理を行う少なくとも１つ以上の映像信号圧縮手段と、音声信号の圧縮処理を行う少なくとも１つ以上の音声信号圧縮手段と、蓄積制御情報を生成する蓄積制御情報生成手段と、番組情報を生成する番組情報生成手段と、上記映像信号圧縮手段から出力される圧縮映像信号、上記音声信号圧縮手段から出力される圧縮音声信号、および上記番組情報生成手段から出力される番組情報を多重化する多重化手段と、上記多重化手段により多重化された多重化信号の暗号化処理を行う暗号化手段と、上記暗号化手段から出力された暗号化された信号の変調処理を行う信号変調手段とを有して構成され、上記番組情報生成手段が、上記蓄積制御情報生成手段から供給される蓄積制御情報を第１の番組情報に変換し、上記第１の番組情報と、上記番組情報生成手段により生成される第２の番組情報とを多重化することにより、多重化された番組情報を出力するように構成された蓄積型デジタル放送装置を用いて、
入力される信号を復調処理する信号復調手段と、入力される暗号化信号を切り替える第２の信号切替手段と、上記暗号化信号を復号する暗号復号手段と、多重化された映像音声圧縮信号と番組情報とを分離する多重分離手段と、蓄積制御情報を解析する蓄積情報解析手段と、上記蓄積情報解析手段から出力される制御情報に基づいて、映像音声圧縮信号を蓄積し、または、蓄積されている映像音声圧縮信号を再生する蓄積再生手段と、上記制御情報に基づいて、上記多重分離手段から供給される映像音声圧縮信号と、上記蓄積再生手段から供給される映像音声圧縮信号とを切り替える第１の信号切替手段と、上記映像音声圧縮信号に対して伸張処理を行って映像信号および音声信号を出力する映像音声伸張手段とを有して構成され、上記蓄積情報解析手段が、上記多重分離手段から出力される番組情報から蓄積制御情報を抽出して解析し、上記蓄積再生手段と上記第１の信号切替手段と上記第２の信号切替手段とを制御し、上記第２の信号切替手段が、上記蓄積情報解析手段から出力される制御情報に基づいて、上記信号復調手段から供給される暗号化信号と、上記蓄積再生手段から供給される暗号化信号とを切り替えて出力し、上記暗号復号手段が、上記蓄積情報解析手段から出力される制御情報に基づいて、入力信号をそのまま出力するか、または、復号処理するかを選択して信号処理を行うように構成されている、少なくとも１つ以上の蓄積型デジタル放送受信端末を、それぞれ制御し、
それぞれの蓄積型デジタル放送受信端末に対して、上記蓄積型デジタル放送受信端末の上記蓄積再生手段に蓄積されている番組情報を管理し、
放送する番組ごとに復号して、それぞれの上記蓄積型デジタル放送受信端末内の蓄積再生手段に蓄積するか、または、上記放送する番組を復号することなく蓄積して上記蓄積再生手段から再生する時に復号するか、を制御するようにした
ことを特徴とする蓄積型デジタル放送方式。
【発明の詳細な説明】
【０００１】
【発明の属する技術分野】
この発明は、蓄積型デジタル放送装置、蓄積型デジタル放送受信端末および蓄積型デジタル放送方式に関し、デジタル放送に用いられる放送装置や、放送方法や、放送受信端末に適用して好適なものである。
【０００２】
また、この発明は、ハードディスクドライブなどの蓄積装置を内蔵した受信端末に対し、圧縮した映像信号や音声信号と同時に番組情報に多重化した蓄積制御情報を伝送し、受信端末において蓄積制御情報を解析させ、受信端末の動作を制御、蓄積装置内に蓄積される番組を管理することを可能とする蓄積型デジタル放送装置、蓄積型デジタル放送受信端末、およびこれらを用いた蓄積型デジタル放送方式に適用して好適なものであり、特に、蓄積制御情報を電子番組情報内に埋め込むことにより、既存のデジタル放送の伝送規格を変更することなく、また、蓄積装置を持たない既存の受信端末の受信動作に影響も与えることなく、各受信端末を制御し、また、それぞれの受信端末ごとの蓄積装置内に蓄積される番組の管理が可能な蓄積型デジタル放送サービスを提供することが可能な蓄積型デジタル放送装置、蓄積型デジタル放送受信端末、およびこれらを用いた蓄積型デジタル放送方式に関するものである。
【０００３】
【従来の技術】
ハードディスクを内蔵したデジタル放送受信機と上記受信機の蓄積機能を活用するデジタル放送受信システムに関しては、例えば、特許文献１に記載されているシステムを挙げることができる。
【０００４】
【特許文献１】
特開２００２−１５２６５０号公報
【０００５】
【発明が解決しようとする課題】
しかしながら、特許文献１に記載された従来のデジタル放送受信システムにおいては、次のような問題があった。
【０００６】
すなわち、特許文献１には、ハードディスクを内蔵したデジタル放送受信機と、この受信機の蓄積機能を活用するデジタル放送受信システムとについて開示されている。しかしながら、この特許文献１には、それぞれのデジタル放送受信機ごとのハードディスクの制御方法、管理方法、特に、放送局側からのデジタル放送受信機ごとのハードディスクの制御方法や、管理方法に関しては、何ら開示されていない。
【０００７】
そのため、放送局側からのデジタル放送受信機ごとの蓄積装置の制御や管理を行って、デジタル放送受信機ごとの制御や管理を実現することができなかった。そして、圧縮映像信号や圧縮音声信号とともに、番組情報に多重化した蓄積制御情報を伝送し、この蓄積制御情報を受信端末に解析させたり、受信端末の動作を制御したり、蓄積装置内の番組を管理したりするためには、既存のデジタル放送の伝送規格を変更する必要が生じる。
【０００８】
また、ハードディスクなどの蓄積装置を備えていないデジタル放送受信機の受信動作に影響を与える可能性もあった。
【０００９】
そのため、それぞれのデジタル放送受信機を制御して、それぞれの受信端末ごとに蓄積される番組を管理可能な蓄積型デジタル放送サービスに関する技術の開発が熱望されていた。
【００１０】
したがって、この発明の目的は、ハードディスクドライブなどの蓄積装置を内蔵した受信端末に対し、圧縮した映像信号や音声信号と同時に番組情報に多重化した蓄積制御情報を伝送し、受信端末において蓄積制御情報を解析させ、受信端末の動作を制御、蓄積装置内の番組を管理することが可能で、既存のデジタル放送の伝送規格を変更することなく、また、蓄積装置を備えていない受信端末の受信動作に影響を与えることなく、それぞれの受信端末を制御することができるとともに、それぞれの受信端末の蓄積装置内に蓄積される番組を管理可能な蓄積型デジタル放送サービスを提供することが可能な、蓄積型デジタル放送装置、蓄積型デジタル放送受信端末、およびこれらを用いた蓄積型デジタル放送方式を提供することにある。
【００１１】
【課題を解決するための手段】
上記目的を達成するために、この発明の第１の発明は、
少なくとも１つ以上の映像音声再生手段と、
映像信号の圧縮処理を行う少なくとも１つ以上の映像信号圧縮手段と、
音声信号の圧縮処理を行う少なくとも１つ以上の音声信号圧縮手段と、
蓄積制御情報を生成する蓄積制御情報生成手段と、
番組情報を生成する番組情報生成手段と、
映像信号圧縮手段から出力される圧縮映像信号、音声信号圧縮手段から出力される圧縮音声信号、および番組情報生成手段から出力される番組情報を多重化する多重化手段と、
多重化手段により多重化された多重化信号の暗号化処理を行う暗号化手段と、
暗号化手段から出力された暗号化された信号の変調処理を行う信号変調手段とを有して構成され、
番組情報生成手段が、
蓄積制御情報生成手段から供給される蓄積制御情報を第１の番組情報に変換し、
第１の番組情報と、番組情報生成手段により生成される第２の番組情報とを多重化することにより、多重化された番組情報を出力するように構成されている
ことを特徴とする蓄積型デジタル放送装置である。
【００１２】
この第１の発明において、典型的には、音声信号および映像信号は、映像音声再生手段から出力されて、音声信号圧縮手段および映像信号圧縮手段に供給される。
【００１３】
この発明の第２の発明は、
入力される信号を復調処理する信号復調手段と、
暗号化された信号を復号する暗号復号手段と、
多重化された映像音声圧縮信号と番組情報とを分離する多重分離手段と、
蓄積制御情報を解析する蓄積情報解析手段と、
蓄積情報解析手段から出力される制御情報に基づいて、多重分離手段から出力される映像音声圧縮信号の蓄積と蓄積されている映像音声圧縮信号の再生との少なくとも一方を実行可能な蓄積再生手段と、
蓄積情報解析手段から出力される制御情報に基づいて、多重分離手段から入力される映像音声圧縮信号と、蓄積再生手段から入力される映像音声圧縮信号とを切り替えて出力する第１の信号切替手段と、
第１の信号切替手段から出力された映像音声圧縮信号に対して伸張処理を実行して、映像信号および音声信号を出力する映像音声伸張手段とを有して構成され、
蓄積情報解析手段が、
多重分離手段から出力された番組情報から蓄積制御情報を抽出して解析し、蓄積再生手段と第１の信号切替手段との制御を行うように構成されている
ことを特徴とする蓄積型デジタル放送受信端末である。
【００１４】
この第２の発明において、典型的には、暗号化された信号は、信号復調手段から暗号復号手段に供給される。
【００１５】
この発明の第３の発明は、
少なくとも１つ以上の映像音声再生手段と、映像信号の圧縮処理を行う少なくとも１つ以上の映像信号圧縮手段と、音声信号を圧縮処理する少なくとも１つ以上の音声信号圧縮手段と、蓄積制御情報を生成する蓄積制御情報生成手段と、番組情報を生成する番組情報生成手段と、映像信号圧縮手段から出力される圧縮映像信号、音声信号圧縮手段から出力される圧縮音声信号、および番組情報生成手段から出力される番組情報を多重化する多重化手段と、多重化された信号を暗号化する暗号化手段と、暗号化された信号を変調処理する信号変調手段とを有して構成され、番組情報生成手段が、蓄積制御情報を第１の番組情報に変換するとともに、第１の番組情報と番組情報生成手段により生成される第２の番組情報とを多重化して番組情報を出力する蓄積型デジタル放送装置を用いて、
入力される信号を復調処理する信号復調手段と、暗号化信号を復号する暗号復号手段と、多重化されている映像音声圧縮信号および番組情報を分離する多重分離手段と、蓄積制御情報を解析する蓄積情報解析手段と、蓄積情報解析手段から出力される制御情報に基づいて、多重分離手段から出力される映像音声圧縮信号の蓄積と蓄積されている映像音声圧縮信号の再生との少なくとも一方を実行可能な蓄積再生手段と、蓄積情報解析手段から出力される制御情報に基づいて、多重分離手段から入力される映像音声圧縮信号と蓄積再生手段から入力される映像音声圧縮信号とを切り替えて出力する第１の信号切替手段と、映像音声圧縮信号の伸張処理を行うとともに、映像信号および音声信号を出力する映像音声伸張手段とを有して構成され、蓄積情報解析手段が、多重分離手段から出力される番組情報から蓄積制御情報を抽出して解析し、蓄積再生手段と信号切替手段とを制御するように構成された、少なくとも１つ以上の蓄積型デジタル放送受信端末を、それぞれ制御し、
それぞれの蓄積型デジタル放送受信端末ごとに、蓄積型デジタル放送受信端末内の蓄積再生手段に蓄積されている番組情報を管理する
ことを特徴とする蓄積型デジタル放送方式である。
【００１６】
この第３の発明において、典型的には、蓄積型デジタル放送装置における音声信号および映像信号が映像音声再生手段により出力され、蓄積型デジタル放送装置における蓄積制御情報が蓄積制御情報生成手段から出力され、蓄積型デジタル放送受信端末における暗号化信号が、信号復調手段から出力されるように構成されている。
【００１７】
この発明の第４の発明は、
入力される信号を復調処理する信号復調手段と、
入力される暗号化信号を切り替える第２の信号切替手段と、
暗号化信号を復号する暗号復号手段と、
多重化された映像音声圧縮信号と番組情報とを分離する多重分離手段と、
蓄積制御情報を解析する蓄積情報解析手段と、
蓄積情報解析手段から出力される制御情報に基づいて、映像音声圧縮信号を蓄積し、または、蓄積されている映像音声圧縮信号を再生する蓄積再生手段と、
制御情報に基づいて、多重分離手段から供給される映像音声圧縮信号と、蓄積再生手段から供給される映像音声圧縮信号とを切り替える第１の信号切替手段と、
映像音声圧縮信号に対して伸張処理を行って映像信号および音声信号を出力する映像音声伸張手段とを有して構成され、
蓄積情報解析手段が、多重分離手段から出力される番組情報から蓄積制御情報を抽出して解析し、蓄積再生手段と第１の信号切替手段と第２の信号切替手段とを制御し、
第２の信号切替手段が、蓄積情報解析手段から出力される制御情報に基づいて、信号復調手段から供給される暗号化信号と、蓄積再生手段から供給される暗号化信号とを切り替えて出力し、
暗号復号手段が、蓄積情報解析手段から出力される制御情報に基づいて、入力信号をそのまま出力するか、または、復号処理するかを選択して信号処理を行うように構成されている
ことを特徴とする蓄積型デジタル放送受信端末である。
【００１８】
この第４の発明において、典型的には、暗号化信号が、第２の信号切替手段から暗号復号手段に供給され、伸張処理が行われる映像音声圧縮信号が、第１の信号切替手段から映像音声伸張手段に供給されるように構成されている。
【００１９】
この発明の第５の発明は、
少なくとも１つ以上の映像音声再生手段と、映像信号の圧縮処理を行う少なくとも１つ以上の映像信号圧縮手段と、音声信号の圧縮処理を行う少なくとも１つ以上の音声信号圧縮手段と、蓄積制御情報を生成する蓄積制御情報生成手段と、番組情報を生成する番組情報生成手段と、映像信号圧縮手段から出力される圧縮映像信号、音声信号圧縮手段から出力される圧縮音声信号、および番組情報生成手段から出力される番組情報を多重化する多重化手段と、多重化手段により多重化された多重化信号の暗号化処理を行う暗号化手段と、暗号化手段から出力された暗号化された信号の変調処理を行う信号変調手段とを有して構成され、番組情報生成手段が、蓄積制御情報生成手段から供給される蓄積制御情報を第１の番組情報に変換し、第１の番組情報と、番組情報生成手段により生成される第２の番組情報とを多重化することにより、多重化された番組情報を出力するように構成された蓄積型デジタル放送装置を用いて、
入力される信号を復調処理する信号復調手段と、入力される暗号化信号を切り替える第２の信号切替手段と、暗号化信号を復号する暗号復号手段と、多重化された映像音声圧縮信号と番組情報とを分離する多重分離手段と、蓄積制御情報を解析する蓄積情報解析手段と、蓄積情報解析手段から出力される制御情報に基づいて、映像音声圧縮信号を蓄積し、または、蓄積されている映像音声圧縮信号を再生する蓄積再生手段と、制御情報に基づいて、多重分離手段から供給される映像音声圧縮信号と、蓄積再生手段から供給される映像音声圧縮信号とを切り替える第１の信号切替手段と、映像音声圧縮信号に対して伸張処理を行って映像信号および音声信号を出力する映像音声伸張手段とを有して構成され、蓄積情報解析手段が、多重分離手段から出力される番組情報から蓄積制御情報を抽出して解析し、蓄積再生手段と第１の信号切替手段と第２の信号切替手段とを制御し、第２の信号切替手段が、蓄積情報解析手段から出力される制御情報に基づいて、信号復調手段から供給される暗号化信号と、蓄積再生手段から供給される暗号化信号とを切り替えて出力し、暗号復号手段が、蓄積情報解析手段から出力される制御情報に基づいて、入力信号をそのまま出力するか、または、復号処理するかを選択して信号処理を行うように構成されている、少なくとも１つ以上の蓄積型デジタル放送受信端末を、それぞれ制御し、
それぞれの蓄積型デジタル放送受信端末に対して、蓄積型デジタル放送受信端末の蓄積再生手段に蓄積されている番組情報を管理し、
放送する番組ごとに復号して、それぞれの蓄積型デジタル放送受信端末内の蓄積再生手段に蓄積するか、または、放送する番組を復号することなく蓄積して蓄積再生手段から再生する時に復号するか、を制御するようにした
ことを特徴とする蓄積型デジタル放送方式である。
【００２０】
【発明の実施の形態】
以下、この発明の一実施形態について図面を参照しながら説明する。なお、以下の一実施形態の全図においては、同一または対応する部分には同一の符号を付す。
【００２１】
まず、この発明を適用する一実施形態による蓄積型デジタル放送装置、蓄積型デジタル放送受信端末、およびこれらを用いた蓄積型デジタル放送方式について説明する。図１に、この一実施形態による一般家庭に設置されている蓄積型デジタル放送受信端末と、蓄積型デジタル放送装置を含むデジタル放送衛星とを用いた蓄積型デジタル放送システムの全体構成を示す。
【００２２】
図１に示すように、デジタル放送衛星を用いた蓄積型デジタル放送システムは、放送センタ１００、放送衛星１１０、パラボラアンテナなどのアンテナ１２０、受信端末１３０、テレビなどの映像音声受信機（受像機）１４０、ＩＣカードなどの記憶媒体１５０、公衆電話回線網１６０、顧客管理センタ１７０および金融機関１８０から構成されている。
【００２３】
次に、図１に示す蓄積型デジタル放送装置、蓄積型デジタル放送受信端末、およびこれらを用いた蓄積型デジタル放送システムの動作について説明する。
【００２４】
まず、受信端末１３０は、放送センタ１００から送出された放送波を、放送衛星１１０を介して受信して、圧縮されている映像信号や音声信号を伸張再生した後に、受像機１４０に対し出力する。
【００２５】
また、この一実施形態による蓄積型デジタル放送システムにおいては、例えば、チャンネル単位、番組単位、シリーズ番組やシーズン視聴契約などの一連の番組単位などによって課金を行うことができる。
【００２６】
この視聴契約情報は、例えばＩＣカードなどの書換可能な記憶媒体１５０に記憶されている。そして、視聴契約が交わされている場合、記憶媒体１５０から解読鍵が出力され、スクランブルが解除されることにより、受信端末１３０による視聴が可能となる。
【００２７】
また、番組単位や、一連の番組単位における課金の場合、それぞれの番組を番組単位や一連の番組単位ごとに購入することになる。この場合、通常のリアルタイムに視聴する方法のみならず、受信端末１３０の蓄積機能を利用して、視聴に先行し、事前に番組単位や一連の番組単位で受信端末１３０に自動蓄積させた後、または蓄積中に、課金して番組を購入して視聴することもできる。
【００２８】
このときの視聴記録は、記憶媒体１５０に記憶される。そして、この視聴記録は、受信端末１３０に内蔵されたモデム（図１中、図示せず）を用いて、公衆電話回線網１６０などのネットワーク網を介し、顧客管理センタ１７０に送信され、受信端末１３０を所有する視聴者に対する課金が行われる。
【００２９】
また、顧客管理センタ１７０は、銀行やクレジットカード会社などの金融機関１８０に接続されている。そして、この金融機関１８０における処理としての口座引き落としやクレジットカード決済を利用することにより、視聴料を精算することができる。
【００３０】
さらに、視聴契約などの顧客情報の一部を含む個別情報は、放送センタ１００に送信され、放送衛星１１０を介して、受信端末１３０に挿入された記憶媒体１５０に送り込まれる。これにより、例えば視聴契約の変更などの処理を完結することができる。
【００３１】
次に、図１に示す放送センタ１００の内部構成について説明する。この放送センタ１００の内部構成を図２に示す。
【００３２】
図２に示すように、図１に示す放送センタ１００は、ビデオサーバ２００、圧縮装置２１０、多重化装置２２０、暗号化装置２３０、変調装置２４０、放送波出力端子２５０、番組情報生成装置２６０、蓄積制御情報生成装置２７０、図１に示す顧客管理センタ１７０とのインターフェースとなるインターフェース端子２８０を有して構成されている。
【００３３】
次に、放送センタ１００が、番組およびこの番組に付随した情報を送出する動作について図２を参照しつつ説明する。
【００３４】
すなわち、番組の素材は、例えば、デジタルＶＴＲにより編集された後、放送センタ１００内のビデオサーバ２００に一度蓄積される。ビデオサーバ２００から再生された映像および音声は、圧縮装置２１０により、例えば、映像がＭＰＥＧ２（Ｍｏｔｉｏｎ  Ｐｉｃｔｕｒｅｓ  Ｅｘｐｅｒｔｓ  Ｇｒｏｕｐ  Ｐｈａｓｅ  ２）規格で圧縮処理されるとともに、音声信号が、例えばＭＰＥＧ１（Ｍｏｔｉｏｎ  Ｐｉｃｔｕｒｅｓ  Ｅｘｐｅｒｔｓ  Ｇｒｏｕｐ  ｐｈａｓｅ  １）のＬａｙｅｒ２規格で圧縮処理される。なお、放送センタ１００においては、複数のビデオサーバ２００と複数の圧縮装置２１０とが備えられており、他の番組も並行して処理される。
【００３５】
一方、蓄積制御情報生成装置２７０において生成される蓄積制御情報には、指定した受信端末１３０ごと、または、例えば視聴契約している企業の受信端末１３０単位や、特定の地域や県域に設置されている受信端末１３０単位や、特定の会員組織に所属する視聴者宅に設置されている受信端末１３０単位などの、指定した特定グループごとに、受信端末１３０において蓄積を開始する時間、蓄積する番組、再生を開始する時間、再生する番組、受信端末１３０上から消去する時間、消去する番組、暗号化したまま番組を蓄積し再生時に課金する再生時課金方式を採用するか、受信視聴時または蓄積時に課金する受信時課金方式を採用するか、などの情報が含まれる。
【００３６】
また、蓄積制御情報生成装置２７０においては、顧客管理センタ１７０とのインターフェース端子２８０を介して、顧客情報に基づいた情報が受け付けられる。
【００３７】
次に、蓄積制御情報生成装置２７０により、顧客管理センタ１７０からの指示に従って、指示された情報が、受信端末１３０ごと、または受信端末１３０の特定グループごとに分類され、さらに番組情報生成装置２６０に照会されて、該当する番組のイベントＩＤにおける、それぞれの該当するイベントＩＤごとに、その情報が分類される。
【００３８】
そして、蓄積制御情報生成装置２７０により、蓄積制御情報を示す特定の識別情報が生成され、この識別情報は、そのイベントＩＤごとに分類されたそれぞれの情報の先頭に付加される。さらに、蓄積制御情報生成装置２７０により、それぞれの情報に、電子番組表のフォーマットに合致するように改行コードなどが付加されて、情報が成形され、蓄積制御情報が生成されて、番組情報生成装置２６０に転送される。
【００３９】
この番組情報生成装置２６０においては、電子番組情報が生成されるのみならず、蓄積制御情報生成装置２７０から転送される蓄積制御情報が、イベントＩＤごとに分類して分割され、該当するイベントＩＤにより指示された番組の電子番組情報に対して、それぞれ、分割した蓄積制御情報の埋め込み処理が実行され、所定のフォーマットに基づいて、パケット化されて出力される。
【００４０】
また、多重化装置２２０により、複数の圧縮装置２１０から入力された圧縮映像信号や圧縮音声信号と、番組情報生成装置２６０から入力された電子番組情報と、その他の顧客管理情報とが、例えば、ＭＰＥＧ２のトランスポートストリーム形式で多重化される。
【００４１】
また、暗号化装置２３０により、有料放送の場合に、多重化装置２２０により多重化されたトランスポートストリームが暗号化されて出力される。
【００４２】
さらに、変調装置２４０により、暗号化装置２３０によって暗号化されたトランスポートストリームに対して、例えば、リードソロモン（Ｒｅｅｄ−Ｓｏｌｏｍｏｎ）符号の付加、同期反転、インターリーブ、エネルギー拡散および、ＱＰＳＫ（Ｑｕａｄｒａｔｕｒｅ  Ｐｈａｓｅ  Ｓｈｉｆｔ  Ｋｅｙｉｎｇ）変調などの、一連のＤＶＢ−Ｓ（Ｄｉｇｉｔａｌ  Ｖｉｄｅｏ  Ｂｒｏａｄｃａｓｔｉｎｇ  −Ｓａｔｅｌｌｉｔｅ）規格に則った方式に基づいて変調処理が行われ、放送センタ（放送局）１００の例えば屋上などに設置されたアンテナから、放送衛星１１０に対して、アップリンクさせる。
【００４３】
次に、図１に示す受信端末１３０の動作原理について説明する。図３に、この受信端末１３０内の内部回路のブロック図を示す。
【００４４】
図３に示すように、受信端末１３０は、例えばＩＣカードなどの書き換え可能な記憶媒体１５０との間において、情報データを入出力可能に構成されている。
【００４５】
また、この受信端末１３０は、アンテナ入力端子３００、復調回路３１０、信号切替回路３２０、暗号復号回路３３０、多重分離回路３４０、蓄積制御情報解析装置３５０、蓄積装置３６０、信号切替回路３７０、映像音声伸張処理回路３８０、映像信号出力端子３９０、および音声信号出力端子３９１を有して構成されている。
【００４６】
この受信端末１３０においては、まずパラボラアンテナ１２０（図１参照）によって放送衛星１１０からの放送波が受信される。これに伴い、この受信信号は、アンテナ入力端子３００を介して復調回路３１０に供給される。
【００４７】
また、この復調回路３１０においては、例えば、ＤＶＢ−Ｓ規格に則った方式により復調処理が行われ、これにより、暗号化されたままのトランスポートストリームが出力される。
【００４８】
通常、放送波を受信している場合、信号切替回路３２０の入力としては、復調回路３１０からの入力が選択されているため、信号切替回路３２０は、復調回路３１０からの入力信号を選択して出力する。
【００４９】
また、暗号復号回路３３０においては、入力された暗号化されたままのトランスポートストリームが、記憶媒体１５０から取り出された解読鍵に基づいて復号される。この復号されたトランスポートストリームは、デスクランブル処理がされて暗号復号回路３３０から出力される。
【００５０】
そして、多重分離回路３４０においては、選局処理によって指定されたＰＩＤ（Ｐａｃｋｅｔ  ＩＤｅｎｔｉｆｉｃａｔｉｏｎ）を持つ映像圧縮信号および音声圧縮信号を含むＴＳ（Ｔｒａｎｓｐｏｒｔ  Ｓｔｒｅａｍ）パケットのみがフィルタリングされ、出力される。これと同時に、多重分離回路３４０により、このトランスポートストリームに多重されている電子番組情報を含むＴＳパケットがフィルタリングされて出力される。
【００５１】
信号切替回路３７０においては、多重分離回路３４０から入力される信号が選択されて出力される。
【００５２】
映像音声伸張処理回路３８０においては、入力された信号が受信されると、映像音声伸張処理回路３８０内部において、映像圧縮信号を含むＴＳパケットと音声圧縮信号を含むＴＳパケットとが仕分けされ、それぞれのＴＳパケットが映像音声伸張処理回路３８０内部の映像伸張処理回路と音声信号伸張処理回路とにそれぞれ転送され、それぞれ伸張処理が行われる。
【００５３】
映像音声伸張処理回路３８０において伸張処理が行われた、それぞれの映像信号および音声信号は、それぞれ映像信号出力端子３９０および音声信号出力端子３９１を介し、受像機１４０に入力されて再生される。
【００５４】
他方、多重分離回路３４０において多重分離された、電子番組情報を含むＴＳパケットは、蓄積制御情報解析装置３５０に転送される。そして、この蓄積制御情報解析装置３５０において、入力されたＴＳパケットが解析され、電子番組表が構成される。
【００５５】
また、蓄積制御情報を検索する際、蓄積制御情報解析装置３５０においては、電子番組情報と所定の識別情報を示す文字列とが比較検査されて、電子番組情報中に含まれる識別情報が検出され、蓄積制御情報の本体部分が抽出される。
【００５６】
そして、この抽出された蓄積制御情報の中に、受信端末１３０に挿入されている記憶媒体１５０としてのＩＣカードのＩＣカード番号、または所属するグループＩＤを含む蓄積制御情報が含まれているか否かが検索される。
【００５７】
このようにして、得られた電子番組表中に蓄積制御情報が組み込まれた番組の電子番組情報の一表示例を、図４に示す。
【００５８】
図４に示すように、この一実施形態による電子番組情報は、電子番組表６００、時間軸表示欄６１０、チャンネル番号表示欄６２０、番組名表示欄６３０、番組詳細情報表示欄６４０、およびカーソル６５０などからなる。なお、これらがすべて含まれている必要はなく、他方、これら以外の項目が含まれていてもよい。
【００５９】
この電子番組表６００は、蓄積制御情報解析装置３５０によって構成がなされるが、映像音声伸張処理回路３８０内にある描画機能を用いることにより、受像機１４０に表示することも可能である。
【００６０】
また、図４に示す電子番組表６００の表示例の場合、時間軸表示欄６１０に、現在の時刻以降の時間軸が表示され、番組名表示欄６３０に、チャンネル番号表示欄６２０において選択されているチャンネルで放送される番組名が表示される。具体的には、例えば、カーソル６５０によって番組Ａが選択されていた場合、番組詳細情報表示欄６４０に、番組Ａの番組詳細情報が表示される。
【００６１】
この番組詳細情報には、番組名のほか、出演者、選手、監督、あらすじなどの付加情報が記述されているのが通常である。また、これに蓄積制御情報を番組詳細情報中に埋め込む場合には、蓄積制御情報を、蓄積型デジタル放送に対応していない受信端末においても、番組詳細情報を閲覧可能、かつ、蓄積型デジタル放送に対応していない受信端末において誤動作を生じないフォーマットによって記述する。
【００６２】
すなわち、蓄積制御情報は、蓄積型デジタル放送に対応していない受信端末に対応可能な電子番組表６００において使用される文字セットにより記述されている。
【００６３】
また、蓄積制御情報解析装置３５０は、番組詳細情報中に、例えば［］で囲まれた「［蓄積制御情報］」という文字列を比較検査することによって、蓄積制御情報を検出する。
【００６４】
この「［蓄積制御情報］」という文字列により記述される識別情報の後に、例えば、所属、蓄積イベントＩＤ、再生開始時間、再生条件、消去イベントＩＤ、および課金方式などの要素が付加されて、蓄積制御情報が構成されている。
【００６５】
すなわち、まず、蓄積制御情報中に、所属を示す要素の記述がある場合、特定のグループ、例えば、図４においては、受信端末１３０に挿入されているＩＣカードがグループＡに所属している場合にのみ有効な蓄積制御情報であることを示す。なお、この所属の属性は、例えば、所定のグルーピング、ＩＣカード番号、受信機メーカ、機種、ハードウェアのバージョン、ソフトウェアのバージョン、受信地域、受信県域などであっても良い。
【００６６】
次に、電子番組表に記述される番組情報には、イベントＩＤという番組単位によって固有の番号が割り振られている。そして、蓄積イベントＩＤによって、蓄積すべきイベントＩＤが指定される。
【００６７】
図４においては、例えば、受信端末１３０に挿入されている記憶媒体１５０がグループＡに所属している場合に、イベントＩＤによって「００３」の番組を蓄積するように指示される。
【００６８】
そして、蓄積制御情報解析装置３５０がこの指示を検出すると、検出されたイベントＩＤが含まれた番組を録画するように制御が行われる。
【００６９】
すなわち、蓄積制御情報解析装置３５０は、蓄積装置３６０に対して、蓄積コマンドを発行し、指定時間および指定チャンネルの番組を、蓄積装置３６０に蓄積する。
【００７０】
さらに、再生開始時間を示す要素が記述されている場合には、蓄積制御情報解析装置３５０から、指定時間が到来した時点において、そのイベントＩＤの番組を再生するように、蓄積装置３６０に対して再生コマンドが発行される。
【００７１】
この場合、再生条件を指定することができ、具体的に、例えば、平日のみ、休祝日のみ、または指定した曜日のみ、もしくは再生回数、または、一回あたりの繰り返し再生回数などを指定することができる。
【００７２】
また、蓄積制御情報解析装置３５０から信号切替回路３７０に対し、蓄積装置３６０の再生出力を選択するよう指示が行われる。信号切替回路３７０は、蓄積装置３６０の再生信号を選択して出力する。これにより、蓄積装置３６０に蓄積されていた番組が再生される。
【００７３】
また、消去イベントＩＤが記述されている場合、蓄積制御情報解析装置３５０により、蓄積装置３６０に対して消去コマンドが発行される。これにより、蓄積装置３６０内に蓄積されている指定されたイベントＩＤの番組が消去される。
【００７４】
さらに、課金方式の要素が記述されているとともに、再生時課金が指定されている場合においては、指定されたイベントＩＤの番組を記録する時に、暗号復号回路３３０において、暗号復号処理を実行せずに、入力されたトランスポートストリームをそのまま出力する。
【００７５】
多重分離回路３４０においては、所定のＰＩＤをもつＴＳパケットのみがフィルタリングされ、蓄積装置３６０に蓄積される。
【００７６】
そして、指定された再生開始時間になった場合に、蓄積制御情報解析装置３５０から蓄積装置３６０に対して、再生コマンドが発行され、これを受けた蓄積装置３６０において、指定されたイベントＩＤに該当する番組が再生される。
【００７７】
一方、蓄積制御情報解析装置３５０においては、信号切替回路３２０に対して、蓄積装置３６０の出力信号を選択するよう指示するコマンドが発行される。
【００７８】
そして、信号切替回路３２０においては、蓄積装置３６０から入力される信号を選択し、出力する。また、暗号復号回路３３０においては、ＩＣカードなどの記憶媒体１５０から解読鍵が入手され、暗号復号処理の実行により暗号復号したトランスポートストリームが出力される。
【００７９】
この暗号復号回路３３０から多重分離回路３４０に供給されたトランスポートストリームは、蓄積装置３６０への蓄積時において、すでに所定のＴＳパケットのみがフィルタリングされた状態にある。そのため、多重分離回路３４０においては、入力されたトランスポートストリームがそのまま出力される。
【００８０】
そして、蓄積制御情報解析装置３５０においては、信号切替回路３７０に対して、多重分離回路３４０の出力信号を選択する指示をするためのコマンドが発行される。
【００８１】
この信号切替回路３７０においては、多重分離回路３４０から供給される信号に対して所定の選択処理が実行されて出力され、この信号が映像音声伸張処理回路３８０に転送される。これにより、映像音声が再生されて、再生時課金が実現される。
【００８２】
次に、以上のような動作を実行する受信端末１３０の具体的構成について説明する。この受信端末１３０のハードウェア構成のブロック図を図５に示す。
【００８３】
図５に示すように、図１に示す受信端末１３０は、ＩＣカードなどの記憶媒体１５０との間でデータの入出力可能に構成されている。また、この受信端末１３０は、ＣＰＵなどから構成されるマイクロコンピュータ（マイコン）４００、キー４１０、ＬＥＤ（Ｌａｓｅｒ  Ｅｍｉｔｔｉｎｇ  Ｄｉｏｄｅ）４２０、リモートコントローラ（リモコン）４３０、メモリ４４０、フラッシュメモリ４５０、システムバス４６０、チューナ４７０、デスクランブラ４８０、トランスポートデコーダ５００、ＭＰＥＧ２デコーダ５１０、オーディオＤＡＣ（Ｄｉｇｉｔａｌ  ｔｏ  Ａｎａｌｏｇ  Ｃｏｎｖｅｒｔｅｒ）５２０、ビデオエンコーダ５３０、アンテナ入力端子５４０、音声出力端子５５０、映像出力端子５６０、モデム５７０、回線接続端子５８０、ＨＤＤ（Ｈａｒｄ  Ｄｉｓｋ  Ｄｒｉｖｅ）コントローラ５９０、ＨＤＤ５９１を有して構成されている。
【００８４】
なお、図３に示す受信端末１３０の動作原理を示す図におけるアンテナ入力端子３００は、図５に示すアンテナ入力端子５４０と同一のものである。
【００８５】
同様に、復調回路３１０は、チューナ４７０によって実現される。また、それぞれの信号切替回路３２０，３７０は、それぞれマイコン４００がフラッシュメモリ４５０内のプログラムに従った処理を実行し、システムバス４６０を制御することにより実現される。
【００８６】
また、暗号復号回路３３０は、デスクランブラ４８０と同一であり、このデスクランブラ４８０によって暗号復号が実現される。また、多重分離回路３４０は、トランスポートデコーダ５００と同一であり、このトランスポートデコーダ５００により多重分離が実現される。
【００８７】
また、蓄積制御情報解析装置３５０は、マイコン４００がフラッシュメモリ４５０内のプログラムに従ったソフトウェア処理を実行することにより実現される。また、蓄積装置３６０は、ＨＤＤコントローラ５９０とＨＤＤ５９１とから構成されている。
【００８８】
また、映像音声伸張処理回路３８０は、ＭＰＥＧ２デコーダ５１０と同一であり、このＭＰＥＧ２デコーダ５１０により映像信号および音声信号の伸張処理が実行される。また、映像信号出力端子３９０は、映像出力端子５６０と同一であり、音声信号出力端子３９１は、音声出力端子５５０と同一である。
【００８９】
続いて、受信端末１３０の具体的な処理について説明する。
【００９０】
すなわち、まず、パラボラアンテナなどのアンテナ１２０（図１参照）によって、放送衛星１１０からの放送波を受信した受信端末１３０においては、この受信信号がアンテナ入力端子５４０を介してチューナ４７０に取り込まれる。
【００９１】
チューナ４７０においては、例えば、ＱＰＳＫ復調、逆エネルギー拡散、デインターリーブ、同期反転、または、リードソロモン（Ｒｅｅｄ−Ｓｏｌｏｍｏｎ）符号検査などの、一連のＤＶＢ−Ｓ規格に則った方式で復調処理が行われ、暗号化されたままのトランスポートストリームが出力される。
【００９２】
暗号化されたままのトランスポートストリームは、デスクランブラ４８０を介してトランスポートデコーダ５００に一度入力される。
【００９３】
そして、視聴者が、キー４１０またはリモコン４３０によって選局動作を指定した場合、指定したＰＩＤのＴＳパケットのみをフィルタリングするよう指示信号が、マイコン４００から、システムバス４６０を介して、トランスポートデコーダ５００に供給される。
【００９４】
これにより、トランスポートデコーダ５００においては、暗号鍵に含まれるＴＳパケットのフィルタリングが行われる。そして、マイコン４００により、このＴＳパケットのペイロードに含まれる共通暗号化情報や個別暗号化情報が抽出され、記憶媒体１５０に対する設定がなされる。
【００９５】
また、マイコン４００により、記憶媒体１５０からスクランブル鍵が抽出され、システムバス４６０を介して、デスクランブラ４８０が設定されることにより、特定のＰＩＤを有する暗号化されたＴＳパケットが復号される。
【００９６】
なお、この特定のＰＩＤの中には、圧縮映像信号が含まれるＴＳパケットおよび圧縮音声信号が含まれるＴＳパケットなどが存在する。そして、トランスポートデコーダ５００において、これらのＴＳパケットから、圧縮映像信号および圧縮音声信号が再構成され、これらの圧縮信号がＭＰＥＧ２デコーダ５１０に供給される。
【００９７】
トランスポートデコーダ５００から圧縮映像信号および圧縮音声信号が入力されたＭＰＥＧ２デコーダ５１０においては、それぞれの圧縮映像信号および圧縮音声信号が、それぞれＭＰＥＧ２デコーダ５１０内のビデオデコーダおよびオーディオデコーダに入力され、これらのビデオデコーダおよびオーディオデコーダにおいて伸張処理が行われる。
【００９８】
また、これらの圧縮信号に含まれる時間情報をもとに、ＭＰＥＧ２デコーダ５１０内のビデオデコーダ、オーディオデコーダを制御して、映像と音声の出力の時間を調整し、映像と音声の同期をとる。
【００９９】
また、ＭＰＥＧ２デコーダ５１０により、伸張処理されたデジタル映像信号がビデオエンコーダ５３０に供給される。このデジタル映像信号が入力されたビデオエンコーダ５３０においては、デジタル映像信号が、例えばＮＴＳＣ（Ｎａｔｉｏｎａｌ  Ｔｅｌｅｖｉｓｉｏｎ  Ｓｔａｎｄａｒｄ  Ｃｏｍｍｉｔｔｅｅ）形式のアナログ信号に変換され、このアナログ信号が映像出力端子５６０を介して受像機１４０（図１参照）に供給される。
【０１００】
同様に、ＭＰＥＧ２デコーダ５１０により、伸張処理されたデジタル音声信号がオーディオＤＡＣ５２０に供給される。このオーディオＤＡＣ５２０においては、デジタル音声信号が例えば２チャンネルのアナログ信号に変換され、音声出力端子５５０を介して受像機１４０に供給される。
【０１０１】
他方、電子番組情などを含むＴＳパケットについては、マイコン４００によりトランスポートデコーダ５００においてフィルタリングされ、システムバス４６０を介してメモリ４４０にＤＭＡ（Ｄｉｒｅｃｔ  Ｍｅｍｏｒｙ  Ａｃｃｅｓｓ）転送される。
【０１０２】
また、視聴者がキー４１０やリモコン４３０を用いて電子番組情報の表示の指示を送信した場合、マイコン４００により、メモリ４４０内にキャッシュされたデータの中から電子番組情報などが抽出される。これとともに、ＭＰＥＧ２デコーダ５１０内のスクリーンバッファに、ＯＳＤ（Ｏｎ  Ｓｃｒｅｅｎ  Ｄｉｓｐｌａｙ）用の画像イメージが展開される。
【０１０３】
また、ＭＰＥＧ２デコーダ５１０のグラフィックエンジンが制御されて、伸張処理された映像とＯＳＤとが重ね合わされて、図４に示す電子番組表が表示される。
【０１０４】
また、マイコン４００により、電子番組情報がメモリ４４０内にキャッシュされる際には、蓄積制御情報が検索されて蓄積制御情報が抽出される。
【０１０５】
マイコン４００は、抽出した蓄積制御情報の記述内容に従って、システムバス４６０を介して、ＨＤＤコントローラ５９０を制御する。そして、ＨＤＤコントローラ５９０によって、ＨＤＤ５９１が制御されて、指定されたイベントＩＤの番組が蓄積されたり、指定されたイベントＩＤの番組が再生されたりする。
【０１０６】
なお、蓄積制御情報の中に再生時課金の指定がある場合には、指定されたイベントＩＤの番組が蓄積されるときに、システムバス４６０を介してデスクランブラ４８０に暗号復号処理の停止を指示する信号が供給される。
【０１０７】
この停止の指示を受けたデスクランブラ４８０によって、入力された暗号化されたままのトランスポートストリームがそのまま出力される。そして、トランスポートデコーダ５００により、指定されたチャンネルのＴＳパケットのみが、フィルタリングされる。
【０１０８】
その後、これらのＴＳパケットは、マイコン４００によってシステムバス４６０を介してＨＤＤコントローラ５９０にＤＭＡ転送され、この信号がＨＤＤコントローラ５９０によりＨＤＤ５９１に蓄積される。
【０１０９】
また、蓄積制御情報の中に記述された再生開始時間になった場合、視聴者によって指定されたイベントＩＤの番組を再生するコマンドが、マイコン４００により、システムバス４６０を介して、ＨＤＤコントローラ５９０に供給される。これにより、ＨＤＤ５９１から再生された信号がデスクランブラ４８０にＤＭＡ転送される。デスクランブラ４８０においては、ＨＤＤ５９１から再生された信号が復号されることにより再生時課金が実現される。
【０１１０】
以上、この発明の一実施形態について具体的に説明したが、この発明は、上述の一実施形態に限定されるものではなく、この発明の技術的思想に基づく各種の変形が可能である。
【０１１１】
例えば、上述の一実施形態においては、この発明を、デジタル放送衛星を用いた蓄積型デジタル放送装置、蓄積型デジタル放送受信端末、およびこれらを用いた蓄積型デジタル放送システムに適用した場合について説明したが、他のデジタル放送、例えば、デジタルケーブルテレビや光ファイバやＡＤＳＬ（Ａｓｙｎｃｈｒｏｎｏｕｓ  Ｄｉｇｉｔａｌ  Ｓｕｂｓｃｒｉｂｅｒ  Ｌｉｎｅ）を採用したデジタル放送に適用することも可能である。
【０１１２】
また、この発明においては、蓄積装置の例として、ＨＤＤを例にあげて説明したが、その他の蓄積媒体、例えば、ＤＶＤ（Ｄｉｇｉｔａｌ  Ｖｅｒｓａｔｉｌｅ  Ｄｉｓｃ）やＤＶ−Ｒなどの光ディスクや、フラッシュメモリ、受信端末とネットワーク接続されたオンライン上のネットワークドライブなどに適用することも可能である。
【０１１３】
また、例えば上述の一実施形態において、さらに、蓄積制御情報の中に、例えば、所属として特定の視聴者の受信端末１３０に挿入されている記憶媒体１５０としてのＩＣカードのＩＣカード番号、蓄積イベントＩＤ、再生条件として例えば７日間などの数日間のみ再生可能、課金方式として再生時課金などを設定することにより、特定の視聴者のみに指定した番組を自動で蓄積させることが可能となる。また、所定の期日の到来時点において、第２の蓄積制御情報の中に、所属として特定の視聴者の受信端末１３０に挿入されているＩＣカードのＩＣカード番号や消去イベントＩＤなどを記述するようにしてもよい。これにより、放送した段階、または放送が終了した段階で、指定した受信端末１３０に蓄積されている番組を自動消去することができ、これらを組み合わせることによって、蓄積型デジタル放送システムを利用したビデオレンタル放送サービスや試写会サービスを実現することが可能となる。
【０１１４】
このようにして蓄積制御情報を利用することにより、受信端末１３０ごとに、常時蓄積させる番組の量を管理することが可能となり、受信端末１３０内のＨＤＤ５９１を、放送センタ１００が自由に管理することのできる事業者領域と、視聴者が自由に録画用として使用することのできる視聴者領域とに、仮想的に分割することが可能となる。しかも、事業者領域を自由に制御することが可能となる。このような機能により、例えば、事業者領域を多く設定することによって、広告番組を多くの受信端末１３０に送信して、広告主から広告料を得るようにし、これに応じて、受信端末１３０を大幅に低価額で視聴者に販売することも可能となる。
【０１１５】
同様に、例えば、初期設定において事業者領域を多く設定し、受信端末１３０を低価額で販売し、視聴者が支払う追加料金の金額に応じて、視聴者領域を増やすような付加サービスを実現することも可能となる。
【０１１６】
【発明の効果】
以上説明したように、この発明によれば、蓄積装置を内蔵した受信端末に対し、圧縮映像信号や圧縮音声信号ととともに、番組情報に多重化した蓄積制御情報を伝送し、受信端末において蓄積制御情報を解析させ、受信端末の動作を制御、蓄積装置内の番組を管理することが可能で、既存のデジタル放送の伝送規格を変更することなく、また、蓄積装置を持たない既存の受信端末の受信動作に影響も与えることなく、各受信端末を制御し、また、それぞれの受信端末ごとの蓄積装置内に蓄積される番組を管理可能な蓄積型デジタル放送サービスを提供することができる、蓄積型デジタル放送装置、蓄積型デジタル放送受信端末、およびこれらを用いた蓄積型デジタル放送方式を実現することができる。
【０１１７】
また、この発明を適用することによって、蓄積装置を備えていない既存の受信端末の受信動作に影響を与えることなく、それぞれの受信端末を制御することができるとともに、それぞれの受信端末ごとの蓄積装置内に蓄積される番組を管理可能な蓄積型デジタル放送サービスを、視聴者に提供することができる、蓄積型デジタル放送装置、蓄積型デジタル放送受信端末、およびこれらを用いた蓄積型デジタル放送方式を実現することができる。
【図面の簡単な説明】
【図１】この発明の一実施形態による蓄積型デジタル放送受信端末および、蓄積型デジタル放送装置を含むデジタル放送衛星を用いた蓄積型デジタル放送システムの全体構成を示す略線図である。
【図２】この発明の一実施形態による放送センタの内部構成を示すブロック図である。
【図３】この発明の一実施形態による受信端末内の内部処理動作を説明するためのブロック図である。
【図４】この発明の一実施形態による電子番組表中に蓄積制御情報が組み込まれた番組の電子番組情報を表示した表示を示す平面図である。
【図５】この発明の一実施形態による受信端末における実際のハードウェアにおいて実現した場合の内部構成を示すブロック図である。
【符号の説明】
１００  放送センタ
１１０  放送衛星
１２０  アンテナ
１３０  受信端末
１４０  受像機
１５０  記憶媒体
１６０  公衆電話回線網
１７０  顧客管理センタ
１８０  金融機関
２００  ビデオサーバ
２１０  圧縮装置
２２０  多重化装置
２３０  暗号化装置
２４０  変調装置
２５０  放送波出力端子
２６０  番組情報生成装置
２７０  蓄積制御情報生成装置
２８０  インターフェース端子
３００  アンテナ入力端子
３１０  復調回路
３２０，３７０  信号切替回路
３３０  暗号復号回路
３４０  多重分離回路
３５０  蓄積制御情報解析装置
３６０  蓄積装置
３８０  映像音声伸張処理回路
３９０  映像信号出力端子
３９１  音声信号出力端子
４００  マイコン
４１０  キー
４３０  リモコン
４４０  メモリ
４５０  フラッシュメモリ
４６０  システムバス
４７０  チューナ
４８０  デスクランブラ
５００  トランスポートデコーダ
５１０  デコーダ
５３０  ビデオエンコーダ
５４０  アンテナ入力端子
５５０  音声出力端子
５６０  映像出力端子
５７０  モデム
５８０  回線接続端子
５９０  コントローラ
６００  電子番組
６１０  時間軸表示欄
６２０  チャンネル番号表示欄
６３０  番組名表示欄
６４０  番組詳細情報表示欄
６５０  カーソル
【図１】
2004247788.tif 000003
【図２】
2004247788.tif 000004
【図３】
2004247788.tif 000005
【図４】
2004247788.tif 000006
【図５】
2004247788.tif 000007